(57)【要約】【課題】分散ネットワークアナライザの使用及び制御を円滑に実行する新しい装置及び方法の提供【解決手段】携帯型コンピューティング装置をヘッドレス試験及び計測装置の近傍に移動し、前記携帯型コンピューティング装置を前記ヘッドレス試験及び計測装置上のサーバーに無線接続し、前記ヘッドレス試験及び計測装置上にインストールされているオペレーティングシステムのデスクトップを前記携帯型コンピューティング装置上に複製し、前記ヘッドレス試験及び計測装置を制御するべく、前記携帯型コンピューティング装置上の前記複製されたオペレーティングシステムを操作することにより、ヘッドレス試験及び計測装置を制御する。【選択図】図２
2006295922.tif 000002
【特許請求の範囲】
【請求項１】
被検ネットワークからデータを取得して解析するコアと、
前記コアと通信状態にあり、データを送受信して前記コアとのリモートによるやり取りを円滑に実行する無線通信手段と、
を有するヘッドレス試験及び計測装置。
【請求項２】
前記無線通信手段が、無線ネットワーク規格を利用している請求項１記載のヘッドレス試験及び計測装置。
【請求項３】
前記無線通信手段が、移動体通信規格を利用している請求項１記載のヘッドレス試験及び計測装置。
【請求項４】
前記無線通信手段が、ブルートゥース規格を利用している請求項１記載のヘッドレス試験及び計測装置。
【請求項５】
前記コアには、前記コアのリモートによる使用を円滑に実行するリモートソフトウェアが提供されており、
前記ヘッドレス試験及び計測装置が、
前記無線通信手段と通信状態にある携帯型コンピューティング装置であって、前記コア上の前記リモートソフトウェアと通信し、前記携帯型コンピューティング装置を使用した前記コアの制御を円滑に実行するソフトウェアを含んでいる、携帯型コンピューティング装置、
を更に有する請求項１記載のヘッドレス試験及び計測装置。
【請求項６】
前記携帯型コンピューティング装置が、ラップトップコンピュータを有する請求項５記載のヘッドレス試験及び計測装置。
【請求項７】
前記携帯型コンピューティング装置が、パーソナルデータアシスタントを有する請求項５記載のヘッドレス試験及び計測装置。
【請求項８】
前記携帯型コンピューティング装置が、携帯電話機を有する請求項５記載のヘッドレス試験及び計測装置。
【請求項９】
被検ネットワークからフレームを受信するデータ取得システムと、
前記データ取得システムの出力を解析するソフトウェアを実行するアナライザと、
前記ソフトウェアの動作を制御する命令を受信する無線インタフェースと、
を有するネットワーク試験及び計測システム。
【請求項１０】
前記アナライザが、シグナリングアナライザソフトウェアを有する請求項９記載のネットワーク試験及び計測システム。
【請求項１１】
前記アナライザが、ネットワークアナライザソフトウェアを有する請求項９記載のネットワーク試験及び計測システム。
【請求項１２】
前記無線インタフェースが、無線ネットワーク規格を利用している請求項９記載のネットワーク試験及び計測システム。
【請求項１３】
前記無線インタフェースが、移動体通信規格を利用している請求項９記載のネットワーク試験及び計測システム。
【請求項１４】
前記無線インタフェースが、ブルートゥース規格を利用している請求項９記載のネットワーク試験及び計測システム。
【請求項１５】
前記無線インタフェースと通信して前記アナライザを制御するべく適合された携帯型コンピューティング装置を更に有する請求項９記載のネットワーク試験及び計測システム。
【請求項１６】
前記データ取得システム及び前記アナライザが、別個の筐体内に収容されている請求項９記載のネットワーク試験及び計測システム。
【請求項１７】
前記データ取得システム及び前記アナライザが、同一の筐体内に収容されている請求項９記載のネットワーク試験及び計測システム。
【請求項１８】
被検ネットワークからフレームを受信するデータ取得システムと、前記データ取得システムの出力を解析し、結果をリモートコンピューティング装置に出力するソフトウェアを実行するアナライザと、前記ソフトウェアの動作を制御する命令を受信する無線インタフェースと、を有するヘッドレスプローブと、
前記無線インタフェースと通信して前記アナライザを制御するべく適合されている携帯型コンピューティング装置と、
を有する分散ネットワーク解析システム。
【請求項１９】
携帯型コンピューティング装置をヘッドレス試験及び計測装置の近傍に移動する段階と、
前記携帯型コンピューティング装置を前記ヘッドレス試験及び計測装置上のサーバーに無線接続する段階と、
前記ヘッドレス試験及び計測装置上にインストールされているオペレーティングシステムのデスクトップを前記携帯型コンピューティング装置上に複製する段階と、
前記ヘッドレス試験及び計測装置を制御するべく、前記携帯型コンピューティング装置上の前記複製されたオペレーティングシステムを操作する段階と、
を有するヘッドレス試験及び計測装置を制御する方法。
【発明の詳細な説明】
【背景技術】
【０００１】
監視、診断、及びトラブルシューティングは、あらゆるネットワークの運営にとって非常に重要な機能である。現在の非常に競争的な通信市場においては、ネットワークの信頼性と性能の向上に対する顧客の要求をネットワークの運営及び保守コストとバランスさせて、ハイレベルな望ましいサービスをサポートしなければならない。最新のパケット及びシグナリングネットワークの計画、トラブルシューティング、設置、及び保守に割り当てる時間及びリソースを極大化するべく試みる様々なネットワーク及び信号の試験及び計測製品が、様々なベンダから提供されている。
【０００２】
ネットワークの監視における最近の進歩が、分散試験システムの使用である。このような分散システムは、一般に、被検ネットワークにおけるトラフィックを監視し、これについて中央コントローラに報告する顧客サイトに設置された（通常、プローブ又は分散ネットワークアナライザと呼ばれる）１つ又は複数のデータ取得ボックスを有している。中央コントローラは、解析ソフトウェアを稼働させて、データ取得ボックスから受信したデータに基づいて表示と報告書を生成する。
【０００３】
一例として、本発明の譲受人は、アジレント（登録商標）・ネットワーク・アナライザ（ＡＧＩＬＥＮＴ  ＮＥＴＷＯＲＫ  ＡＮＡＬＹＺＥＲ）という名称の下に、ライン分散ネットワーク試験システムを製造し、販売している。アジレント・ネットワーク・アナライザのファミリー製品は、現在、ＮＡ（Ｎｅｔｗｏｒｋ  Ａｎａｌｙｚｅｒ）、ＤＮＡ（Ｄｉｓｔｒｉｂｕｔｅｄ  Ｎｅｔｗｏｒｋ  Ａｎａｌｙｚｅｒ）、ＤＮＡ−ＭＸ（Ｄｉｓｔｒｉｂｕｔｅｄ  Ｎｅｔｗｏｒｋ  Ａｎａｌｙｚｅｒ  ＭＸ）、ＤＮＡ−ＭＥ（Ｄｉｓｔｒｉｂｕｔｅｄ  Ｎｅｔｗｏｒｋ  Ａｎａｌｙｚｅｒ  ＭＥ）を含んでいる。固定Ｅｔｈｅｒｎｅｔ（登録商標）ポートを具備しているＤＮＡ−ＭＥを除いて、アジレントＤＮＡ（Ａｇｉｌｅｎｔ  ＤＮＡ）は、シグナリング及びパケットベースのネットワークに適した様々な電気的及び光学的接続を提供する着脱可能なＬＩＭ（Ｌｉｎｅ  Ｉｎｔｅｒｆａｃｅ  Ｍｏｄｕｌｅ）を利用している。物理的なインタフェースは、Ｔ１、Ｅ１、１０／１００Ｂａｓｅ−Ｔ、Ｇｉｇａｂｉｔ  Ｅｔｈｅｒｎｅｔ（登録商標）、ＯＣ−３を含んでおり、ＡＴＭ、Ｅｔｈｅｒｎｅｔ（登録商標）、及びフレームリレーを含む主要なすべてのＬＡＮ／ＷＡＮネットワークの解析が可能である。これらの取得システムを１つのデイジーチェーンに接続し、マルチインタフェース／マルチ技術試験システムを形成可能である（この場合には、すべての計測が自動的に１００ｎｓ内に同期化される）。ラインレートデータ取得及びフィルタリングに使用する組み込み型のＬＩＭプロセッサは、高速データ取得の固有の需要を処理するべく設計されている。ネットワーク・アナライザのプラットフォームは、統計及びエキスパート解析を含むセッションレイヤを通じた物理レイヤからのデータ取得の解析を円滑に実行する。アジレント・ネットワーク・アナライザのプラットフォームに関する更なる情報については、ｗｗｗ．ａｇｉｌｅｎｔ．ｃｏｍを参照されたい。
【０００４】
分散ネットワークアナライザは、ヘッドレスであり、これは、これらが、モニター、キーボード、又はマウスを具備していないことを意味している。多くの設置サイトにおいては、分散ネットワークアナライザは、機器クローゼットにラックマウントされている。通常、このようなユニット上の唯一の表示は、ＬＥＤ状態ランプである。分散ネットワークアナライザを管理する中央コントローラは、一般に、遠隔地に配置されたＰＣから構成されている。前述のＡｇｉｌｅｎｔシステムの場合には、リモートＰＣは、ＮＴＣ（ＡＧＩＬＥＮＴ  ＮＥＴＷＯＲＫ  ＴＲＯＵＢＬＥＳＨＯＯＴＩＮＧ  ＣＥＮＴＥＲ）を稼働させている。ＮＴＣは、１つ又は複数のアジレント・ネットワーク・アナライザのプラットフォーム及びネットワーク上のその他のデータ源から収集された情報に対する単一ユーザー及びマルチユーザーのアクセスを提供するソフトウェアソリューションである。又、ＮＴＣは、１つ又は複数のネットワーク・アナライザ・プラットフォームに対するリモートアクセスをも提供する。ＮＴＣは、データを処理し、データを問題の特定及びトラブルシューティングに有用な知的情報として相関させ、ネットワークの健康状態及び性能の総合的なビューに加え、個々のＬＡＮ、ＷＡＮ、ＷＬＡＮ、スイッチ、ノード、接続、プロトコル、及びエラータイプの詳細なビューにまで掘り下げる能力を提供する。これにより、ユーザーは、ネットワークの全体的なビューによる問題点の識別から、その問題点の場所及び特性の特定に迅速に進むことが可能である。次いで、ユーザーは、問題の発生源における高度なトラブルシューティングのために、ＮＴＣにより、リモート・ネットワーク・アナライザ・アプリケーションをオープン可能である。
【０００５】
ユーザーは、しばしば、設定と使用のために、分散ネットワークアナライザにローカルにアクセスする必要がある。これを実現する１つの方式は、モバイルコンピュータをネットワークのポート（アナライザと関連したＬＡＮ及びモデムポートなど）にプラグ接続し、中央コントローラが実行するのと同一の方式で（一般には、同一のソフトウェアを使用する。例えば、ＮＴＣを稼働させる方式で）分散ネットワークアナライザにアクセスする方法である。これは、通常、オンサイトの技術者が機器クローゼット及び近傍のネットワークポートにアクセスしなければならないことを意味している。多くの場合、両方の基準を満足することは困難である。
【発明の開示】
【発明が解決しようとする課題】
【０００６】
本発明者らは、分散ネットワークアナライザの使用及び制御を円滑に実行する新しい装置及び方法に対するニーズを認識した。
【発明を実施するための最良の形態】
【０００７】
添付図面との関連で、本発明に関する以下の詳細な説明を参照することにより、本発明の特定の実施例について理解することができよう。
【０００８】
以下においては、本発明の実施例を詳細に参照するが、これらのいくつかが添付の図面に示されており、これらの図面においては、類似の参照符号によって類似の要素を示している。以下の詳細な説明は、コンピュータ可読媒体、関連するプロセッサ、汎用のパーソナルコンピュータ、又はこれらに類似したものの内部におけるデータビットの操作のルーチン又はシンボリック表現によって実現可能な方法を提示している。これらの記述及び表現は、当業者が自身の研究内容をその他の当業者に対して効果的に伝達するために使用する手段である。
【０００９】
本明細書においては、方法とは、一般に、所望の結果をもたらす段階又はアクションのシーケンスと考えられ、従って、これは、「ルーチン」、「プログラム」、「オブジェクト」、「関数」、「サブルーチン」、及び「手順」などの専門用語を含んでいる。本明細書において説明する方法は、必要な信号処理能力を有するコンピュータ及びインタフェース内に保存されているルーチンによって選択的に起動又は再設定される汎用コンピュータやその他のネットワーク装置上において稼働可能である。より端的には、以下の説明は、ＡＧＩＬＥＮＴブランドの装置に合焦しているが、本明細書において提示する方法は、基本的に、なんらかの特定の装置に関係するものではなく、むしろ、様々な装置を使用して、特許請求対象の方法を実装可能である。説明対象の実施例の実装に有用な機械は、アジレント・テクノロジーズ・インク（ＡＧＩＬＥＮＴ  ＴＥＣＨＮＯＬＯＧＩＥＳ，  ＩＮＣ．）及びヒューレット・パッカード（ＨＥＷＬＥＴＴ  ＰＡＣＫＡＲＤ）、並びに、信号及びネットワーク試験及び計測機器（これらは、ネットワーク計測装置とも呼ばれる）のその他の製造者などの会社が製造するものを含んでいる。
【００１０】
本明細書において説明するソフトウェアに関連し、当業者であれば、本明細書において概説する方法を実行するソフトウェアを生成するためのプラットフォーム及び言語には、様々なものが存在することを認識するであろう。本発明の実施例は、ＪＡＶＡ（登録商標）の多数の変種のいずれを使用しても実装可能であるが、当業者であれば、特定のプラットフォーム及び言語の選択肢は、しばしば、構築する実際のシステムの仕様によって決定され、１つのタイプのシステムにおいて機能し得るものが、その他のシステムにおいては効果的でないことをも認識するであろう。又、本明細書において説明している方法は、マイクロプロセッサ上においてソフトウェアとして実行されることに限定されるものではなく、その他のタイプのプロセッサ内においても実装可能であることを理解されたい。例えば、これらの方法は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）内においてＨＤＬ（Ｈａｒｄｗａｒｅ  Ｄｅｓｉｇｎ  Ｌａｎｇｕａｇｅ）によって実装可能であろう。
【００１１】
図１は、既知のヘッドレスプローブ１０２のブロックダイアグラムである。一般にＡＧＩＬＥＮＴ  ＤＮＡを表しているプローブ１０２は、ＰＣ（コンピュータ）１０４、データ取得システム１０６、及びＬＩＭ（Ｌｉｎｅ  Ｉｎｔｅｒｆａｃｅ  Ｍｏｄｕｌｅ）１０８を有している。ＰＣ１０４は、Ｅｔｈｅｒｎｅｔ(登録商標)インタフェース１１２を介してデータ取得システム１０６に接続されている。そして、データ取得システム１０６は、プローブ１０２の製造者に独自仕様の高速インタフェースを使用してＬＩＭ１０８に接続されている。プローブ１０２は、ネットワーク１２０を介して中央コントローラに接続されており、このネットワークは、被検ネットワークと同一であっても、そうでなくてもよい。更には、プローブ１０２の状態を含むオンサイト通信を円滑に実行するべく、ＵＳＢ接続１１０及びＬＥＤ１１４が提供されている。
【００１２】
ＬＩＭ１０８は、シグナリングネットワーク及びパケットベースのネットワークを含む様々なネットワークに対する接続用の様々なインタフェースを提供する置換可能なモジュールである。例えば、ＡＧＩＬＥＮＴブランドのＬＡＮ  ＬＩＭは、現在、１０ｂａｓｅＴ及び１０／１００ｂａｓｅＴＸ、１０／１００ｂａｓｅＦＸ、並びに１０００ｂａｓｅＸ（ファイバ及び銅線インタフェースを有するもの）について存在しており、ＡＧＩＬＥＮＴブランドのセル及びフレームベースのＷＡＮ  ＬＩＭは、Ｖ−Ｓｅｒｉｅｓ、ＨＳＳＩ（Ｈｉｇｈ  Ｓｐｅｅｄ  Ｓｅｒｉａｌ  Ｉｎｔｅｒｆａｃｅ）、Ｅ１／Ｔ１、Ｅｉｇｈｔ  Ｐｏｒｔ  Ｅ１／Ｔ１  ＡＴＭ  ＩＭＡ、Ｅ３／Ｔ３、ＡＴＭ２５、ＳＴＭ−１ｏ／ＯＣ−３、及びＳＴＭ−４／０Ｃ−１２／ＳＴＭ−１／ＯＣ−３について存在している。ＬＩＭ１０８は、データ取得システム１０６に対する物理レイヤ及びリンクレイヤ接続を提供し、且つ、物理及びリンクレイヤの統計情報の収集も可能である。例えば、ＬＩＭ１０８は、数千の仮想チャネル上においてリアルタイムのＡＡＬ−２及びＡＡＬ−５機能を同時に提供し、ＡＴＭ及びＡＡＬエラーの統計情報を提供する。又、ＬＩＭ１０８は、関連するネットワーク技術のトラフィックを生成するためのハードウェアをも具備可能である。
【００１３】
データ取得システム１０６は、一般に、ＬＩＭインタフェースに加え、ＬＩＭ１０８によって取得されたフレームをリアセンブルしてメッセージストリームを再生成するためのソフトウェア及びハードウェアを含む専用のハードウェアである。現在のＡｇｉｌｅｎｔシステムにおいては、データ取得システム１０６は、最大１Ｇｂ／ｓのレートで動作するＬＩＭ１０８に対応しており、トラブルシューティング及びベースライン化のためにトラフィックに関するリアルタイム解析を実行し、ＰＣ１０４によるプロトコル解析用にＬＩＭの両方のポートからフルラインレートでトラフィックをキャプチャメモリ内にキャプチャする。
【００１４】
ＰＣ１０４は、データ取得システム１０６からのリアセンブルされたフレームに加え、解析、トラブルシューティング、及びベースライン化操作の出力を受信する。ＰＣ１０４には、データ取得システムの出力をネットワーク１２０を介して中央コントローラ１３０（これは、通常、ＰＣ（Ｐｅｒｓｏｎａｌ  Ｃｏｍｐｕｔｅｒ）を備える）に伝達する通信ソフトウェアが提供されている。中央コントローラ１３０は、一般に、試験及び計測ソフトウェアに従って動作し、いくつかのタイプのシステムに関する様々な試験及び計測機能を実行する。このようなソフトウェアの例は、ネットワーク通信を解析するＡＧＩＬＥＮＴ  ＮＥＴＷＯＲＫ  ＡＮＡＬＹＺＥＲとシグナリング通信を解析するＡＧＩＬＥＮＴ  ＳＩＧＮＡＬＩＮＧ  ＡＮＡＬＹＺＥＲを含んでいる。好適な試験及び計測ソフトウェアに関する追加情報については、ｗｗｗ．ａｇｉｌｅｎｔ．ｃｏｍを参照されたい。
【００１５】
図２は、本発明の実施例によるヘッドレスプローブのブロックダイアグラムである。プローブ２０２は、ＰＣ２０４、データ取得システム２０６、及びＬＩＭ（Ｌｉｎｅ  Ｉｎｔｅｒｆａｃｅ  Ｍｏｄｕｅｌ）２０８を一般に有するコアを中心として形成されている。ＰＣ２０４は、Ｅｔｈｅｒｎｅｔ（登録商標）インタフェース２１２を介してデータ取得システム２０６に接続されている。そして、データ取得システム２０６は、高速インタフェースを使用してＬＩＭ２０８に接続されている。プローブ２０２は、ネットワーク２２０を介して中央コントローラに接続されており、このネットワークは、被検ネットワークと同一であっても、そうでなくてもよい。更には、オンサイト通信を円滑に実行するべく、ＵＳＢ接続２１０及びＬＣＤ（液晶ディスプレイ）２１４が提供されている。ＬＣＤ２１４は、小さな１行又は２行のディスプレイから構成可能である。ＬＩＭ２０８及びデータ取得システム２０６は、ＬＩＭ１０８及びデータ取得システム１０６に略準拠している。
【００１６】
ＰＣ２０４は、プローブ２０２が利用するソフトウェアを保存するストレージシステム２２２に接続されている。オペレーティングシステム（ＯＳ）ソフトウェアに加え、ストレージシステム２２２には、前述のＮＴＣ、ＳＩＧＮＡＬＩＮＧ  ＡＮＡＬＹＺＥＲ、又はＮＥＴＷＯＲＫ  ＡＮＡＬＹＺＥＲなどの解析、試験及び計測ソフトウェアを提供可能である。ストレージシステム２２２は、例えば、ハードディスク、フラッシュメモリ、ＣＤ−ＲＯＭドライブ、又は任意の好適なメモリ装置から構成可能である。又、ストレージシステムには、後述するサーバーソフトウェア及び遠隔制御ソフトウェアも提供されている。
【００１７】
ＰＣ１０４は、更に、無線インタフェース２１６にも接続されている。無線インタフェースは、様々な無線ＬＡＮ又は無線モバイル装置のいずれであってもよい。例えば、無線インタフェース２１６は、Ｗｉ−Ｆｉ又はＷｉ−Ｍａｘ規格に準拠した既製のＰＣＩベースのカードから構成可能である。又、無線インタフェース２１６は、ＧＳＭ、ＧＰＲＳ、ＵＭＴＳ、又はＣＤＭＡ２０００準拠のインタフェースなどのモバイルインタフェースから構成することも可能である。このようなモバイルインタフェースは、既製品を入手可能であり、通常、ＰＣカード規格に基づいたアドインカードから構成されている。更なる例として、無線インタフェースは、ＵＳＢ及びＰＣカードの形態を含む様々な形態で容易に入手可能なＢｌｕｅｔｏｏｔｈに準拠したモジュールから構成することも可能である。
【００１８】
ＰＣ２０４は、ＬＩＮＵＸの任意の変種やＷＩＮＤＯＷＳ（登録商標）の任意の変種を含む様々なオペレーティングシステムを使用して稼働可能であるが、本実施例は、ＷＩＮＤＯＷＳ（登録商標）  ＸＰ  ＥＭＢＥＤＤＥＤを使用して説明することとする。少なくとも一実施例によれば、サーバーソフトウェアは、マイクロソフト（登録商標）（ＭＩＣＲＯＳＯＦＴ）ＩＩＳ、ＡＰＡＣＨＥ、及びネットスケープ・エンタープライズ（ＮＥＴＳＣＡＰＥ  ＥＮＴＥＲＰＲＩＳＥ）サーバーなどのＨＴＭＬサーバーから構成されている。機能を拡張するための様々なソフトウェアによってサーバーを機能強化することが可能であり、これには、ＴＯＭＡＨＡＷＫが販売しているＳＴＥＥＬＡＲＲＯＷ拡張機能が含まれる。
【００１９】
遠隔制御ソフトウェアは、一般に、ＳＹＭＡＮＴＥＣが販売しているＰＣ  ＡＮＹＷＨＥＲＥやＭＩＣＲＯＳＯＦＴが販売しているリモートデスクトップ（ＲＥＭＯＴＥ  ＤＥＳＫＴＯＰ）などの容易に入手可能な製品から構成可能である。恐らく好適な実施例においては、遠隔制御ソフトウェアは、リモートデスクトップ・ウェブ接続（ＲＥＭＯＴＥ  ＤＥＳＫＴＯＰ  ＷＥＢ  ＣＯＮＮＥＣＴＩＯＮ）と呼ばれるリモートデスクトップのＡＣＴＩＶＥ−Ｘバージョンから構成されている。リモートデスクトップ・ウェブ接続は、インターネットエクスプローラ（Ｉｎｔｅｎｅｔ  Ｅｘｐｏｒｅｒ）内からリモートデスクトップ・ウェブセッションを実行するのに使用可能なＷｉｎ３２ベースのＡｃｔｉｖｅＸコントロール（ＣＯＭオブジェクト）である。ダウンロード可能なＡｃｔｉｖｅＸコントロールは、Ｗｉｎｄｏｗｓ（登録商標）  ＸＰ内における完全なリモートデスクトップ接続ソフトウェアと同一の機能の大部分を提供するが、これらの機能をウェブ上において提供するべく設計されている。リモートデスクトップ・ウェブ接続は、Ｗｉｎｄｏｗｓ（登録商標）  ３２ビットオペレーティングシステム上のインターネットエクスプローラやその他の互換性を有するブラウザ内のセッションの実行を円滑にする。
【００２０】
図３は、本発明の実施例によるプローブに使用するウェブページ３００のサンプルである。ユーザーが、サーバー上のウェブページに初めてナビゲートすると、リモートセッション（Ｒｅｍｏｔｅ  Ｓｅｓｓｉｏｎ）をオープン（Ｏｐｅｎ）するためのリンク３０２が提示される。ユーザーが、このリンクを初めてクリックすると（これは、リモートデスクトップ・ウェブ接続ＡｃｔｉｖｅＸコントロールを起動するためのものである）、リモートデスクトップ・ウェブ接続ＡｃｔｉｖｅＸコントロールのインストール及び実行の確認を要求するセキュリティ警告がユーザーに対して表示されることになる。インストールが完了すると、プローブ２０２上のオペレーティングシステムのデスクトップの画像がユーザーに提示される。例えば、その他のリモートアプリケーションの実行、選択したソフトウェアのローカルバージョンのダウンロード及びインストール、又はサーバー上のその他のウェブページへのアクセスなど、［Ｉｎｓｔａｌｌ  Ｉｎｓｔｒｕｍｅｎｔ  Ｍａｎａｇｅｒ］リンク３０４によって示されているその他のオプションも提供可能である。
【００２１】
図４は、本発明の実施例によるプローブとインタフェースするために使用するリモートデスクトップ・ウェブ接続ＡｃｔｉｖｅＸコントロールを介してＡｇｉｌｅｎｔ  Ｎｅｔｗｏｒｋ  Ａｎａｌｙｚｅｒソフトウェアを実行するウィンドウ４００のサンプル画面ショットである。サーバーソフトウェア及び遠隔制御ソフトウェアと接続されている無線インタフェース２１６が、ブラウザ及び適切な無線通信ハードウェアを具備する任意の装置２３０に対する接続とプローブ２０２の制御を円滑に実行する。この装置２３０は、ラップトップコンピュータで構成可能であるが、適切な通信能力を具備する携帯電話機又はＰＤＡ（Ｐｅｒｓｏｎａｌ  Ｄａｔａ  Ａｓｓｉｔａｎｔ）で構成することも可能である。ＰＣ２０４に接続し、これを制御するために知る必要があるのは、インターネットアドレスのみであり、これは、ＬＣＤ２１４上に表示可能である。
【００２２】
図５は、本発明の実施例による方法のフローチャートである。この方法は、段階５０２において始まっている。段階５０４において、プローブをターンオンする。段階５０６において、プローブ用のアクセスポイントを識別する。これは、一般に、利用可能な無線インタフェースを含む利用可能な通信経路をシステムが判定するプロセスを意味している。次に、段階５０８において、例えば、オペレーティングシステムによって提供されるサービスなどを使用し、ＩＰアドレスを取得する。段階５１０において、例えば、ＬＣＤディスプレイ２１４上にＩＰアドレスを表示する。
【００２３】
段階５１２において、プローブにアクセスするために使用するべく、無線装置上においてネットワーク接続を確立する。次に、段階５１４において、無線装置上において稼働しているブラウザなどの通信プログラムに対して、段階５１０において表示されたＩＰアドレスを入力する。段階５１６において、例えば、リモートデスクトップ・ウェブ接続を使用し、リモートデスクトップセッションを起動する。その後、段階５１８において、無線装置のユーザーの制御下において、プローブ上に存在しているアナライザアプリケーションを起動する。
【００２４】
以上、本発明の一実施例について図示及び説明したが、当業者であれば、本発明の原理と精神を逸脱することなしに、これらの実施例に変更を加えることが可能であることを理解するであろう。本発明の範囲は、添付の請求項及びその等価物に定義されているとおりである。
【００２５】
例えば、以上においては、本発明の譲受人であるアジレント・テクノロジーズ・インクから入手可能なプローブを参照して本発明を説明しているが、本発明は、これに限定されるものではなく、すべての試験及び計測システム、特に、ヘッドレスプローブ及び分散ネットワークアナライザに適用可能である。最後に、本発明の実施形態をまとめて示す。
【００２６】
（実施態様１）
被検ネットワークからデータを取得して解析するコアと、前記コアと通信状態にあり、データを送受信して前記コアとのリモートによるやり取りを円滑に実行する無線通信手段とを有するヘッドレス試験及び計測装置。
【００２７】
（実施態様２）
前記無線通信手段が、無線ネットワーク規格を利用している実施態様１記載のヘッドレス試験及び計測装置。
【００２８】
（実施態様３）
前記無線通信手段が、移動体通信規格を利用している実施態様１記載のヘッドレス試験及び計測装置。
【００２９】
（実施態様４）
前記無線通信手段が、ブルートゥース規格を利用している実施態様１記載のヘッドレス試験及び計測装置。
【００３０】
（実施態様５）
前記コアには、前記コアのリモートによる使用を円滑に実行するリモートソフトウェアが提供されており、
前記ヘッドレス試験及び計測装置が、前記無線通信手段と通信状態にある携帯型コンピューティング装置であって、前記コア上の前記リモートソフトウェアと通信し、前記携帯型コンピューティング装置を使用した前記コアの制御を円滑に実行するソフトウェアを含んでいる携帯型コンピューティング装置を更に有する実施態様１記載のヘッドレス試験及び計測装置。
【００３１】
（実施態様６）
前記携帯型コンピューティング装置が、ラップトップコンピュータを有する実施態様５記載のヘッドレス試験及び計測装置。
【００３２】
（実施態様７）
前記携帯型コンピューティング装置が、パーソナルデータアシスタントを有する実施態様５記載のヘッドレス試験及び計測装置。
【００３３】
（実施態様８）
前記携帯型コンピューティング装置が、携帯電話機を有する実施態様５記載のヘッドレス試験及び計測装置。
【００３４】
（実施態様９）
被検ネットワークからフレームを受信するデータ取得システムと、前記データ取得システムの出力を解析するソフトウェアを実行するアナライザと、前記ソフトウェアの動作を制御する命令を受信する無線インタフェースとを有するネットワーク試験及び計測システム。
【００３５】
（実施態様１０）
前記アナライザが、シグナリングアナライザソフトウェアを有する実施態様９記載のネットワーク試験及び計測システム。
【００３６】
（実施態様１１）
前記アナライザが、ネットワークアナライザソフトウェアを有する実施態様９記載のネットワーク試験及び計測システム。
【００３７】
（実施態様１２）
前記無線インタフェースが、無線ネットワーク規格を利用している実施態様９記載のネットワーク試験及び計測システム。
【００３８】
（実施態様１３）
前記無線インタフェースが、移動体通信規格を利用している実施態様９記載のネットワーク試験及び計測システム。
【００３９】
（実施態様１４）
前記無線インタフェースが、ブルートゥース規格を利用している実施態様９記載のネットワーク試験及び計測システム。
【００４０】
（実施態様１５）
前記無線インタフェースと通信して前記アナライザを制御するべく適合された携帯型コンピューティング装置を更に有する実施態様９記載のネットワーク試験及び計測システム。
【００４１】
（実施態様１６）
前記データ取得システム及び前記アナライザが、別個の筐体内に収容されている実施態様９記載のネットワーク試験及び計測システム。
【００４２】
（実施態様１７）
前記データ取得システム及び前記アナライザが、同一の筐体内に収容されている実施態様９記載のネットワーク試験及び計測システム。
【００４３】
（実施態様１８）
被検ネットワークからフレームを受信するデータ取得システムと、前記データ取得システムの出力を解析し、結果をリモートコンピューティング装置に出力するソフトウェアを実行するアナライザと、前記ソフトウェアの動作を制御する命令を受信する無線インタフェースと、を有するヘッドレスプローブと、前記無線インタフェースと通信して前記アナライザを制御するべく適合されている携帯型コンピューティング装置とを有する分散ネットワーク解析システム。
【００４４】
（実施態様１９）
携帯型コンピューティング装置をヘッドレス試験及び計測装置の近傍に移動する段階と、前記携帯型コンピューティング装置を前記ヘッドレス試験及び計測装置上のサーバーに無線接続する段階と、前記ヘッドレス試験及び計測装置上にインストールされているオペレーティングシステムのデスクトップを前記携帯型コンピューティング装置上に複製する段階と、前記ヘッドレス試験及び計測装置を制御するべく、前記携帯型コンピューティング装置上の前記複製されたオペレーティングシステムを操作する段階とを有するヘッドレス試験及び計測装置を制御する方法。
【図面の簡単な説明】
【００４５】
【図１】既知の分散ネットワークアナライザのブロックダイアグラムである。
【図２】本発明の実施例によるプローブのブロックダイアグラムである。
【図３】本発明の実施例によるプローブに使用するウェブページのサンプルである。
【図４】本発明の実施例によるプローブとインタフェースするために使用するインタフェースのサンプル画面ショットである。
【図５】本発明の実施例による方法のフローチャートである。
【符号の説明】
【００４６】
２０６  データ取得システム
２１６  無線インタフェース
【図１】
2006295922.tif 000003
【図２】
2006295922.tif 000004
【図３】
2006295922.tif 000005
【図４】
2006295922.tif 000006
【図５】
2006295922.tif 000007